(57)【要約】【課題】インダクタンスを増やすとリアクターの巻線が多くなり、電流が大の時の温度上昇が問題となるので、これを低減した冷蔵庫を提供するものである。【解決手段】外箱と内箱との間に設けた断熱材とよりなる断熱箱体１０２と、断熱箱体内部を冷却する冷却サイクルを構成するインバータ圧縮機１０６と、圧縮機１０６の高調波抑制用のリアクター１０７と、圧縮機１０６を冷却するファン１０５と、圧縮機１０６及びファン１０５を収容する機械室１０３とを備えて、機械室１０３にリアクター１０７を収納する収納部を配置し、リアクター１０７は電流値により機能する巻線を有し、電流値により冷蔵庫を制御する制御部が、あらかじめ設定されたリアクター１０７の一部の巻線部分を短絡／開放可能としてリアクター１０７の巻線を可変可能にしたものである。【選択図】図３
2012163276.tif 000002
【特許請求の範囲】
【請求項１】
外箱と内箱と前記外箱と前記内箱との間に設けた断熱材とよりなる断熱箱体と、前記断熱箱体内部を冷却する冷却サイクルを構成するインバータ圧縮機と、前記圧縮機の高調波抑制用のリアクターと、前記圧縮機を冷却するファンと、前記圧縮機及び前記ファンを収容する機械室とを備えて、前記機械室に前記リアクターを収納する収納部を配置し、前記リアクターは電流値により機能する巻線を有し、前記電流値により前記冷蔵庫を制御する制御部が、あらかじめ設定された前記リアクターの一部の巻線部分を短絡／開放可能として前記リアクターの巻線を可変可能にしたことを特徴とする冷蔵庫。
【発明の詳細な説明】
【技術分野】
【０００１】
この発明は、圧縮機の回転を制御する制御回路を構成するリアクターを備えた冷蔵庫に関するものである。
【背景技術】
【０００２】
冷蔵庫には、電源投入時の突入電流を抑制または配電盤やブレーカー等に悪影響を及ぼす高調波電流の流出を防止するためにリアクターが設けられている。
【０００３】
図９は、特許文献１に記載された従来のリアクターの配置を示すものである。図９に示すように冷蔵庫１０の機械室４０に冷媒の圧縮機４２と、この圧縮機４２を冷却するための送風機４３が設けられている。この圧縮機４２と送風機４３との間の、送風機４３によって発生する気流が当たる位置にリアクター４４を配置する。これにより、送風機４３から発生する気流は圧縮機４２とリアクター４４とを冷却する。
【０００４】
一般にこのリアクターは、特許文献１に示されているように機械室の空間に設けられ、ファンの放熱風路上に係止されて、同時に温度上昇の低減を行なえるように構成されている。
【先行技術文献】
【特許文献】
【０００５】
【特許文献１】特開２００６−１７７５７４号公報
【発明の概要】
【発明が解決しようとする課題】
【０００６】
しかしながら、上記従来の構成では、リアクターはコイルを内蔵するものであり、通電により発熱し、温度が上昇すると、コイルの損失が大きくなり効率が悪くなる。そのため、所定のリアクタンスを得るためには効率が悪くなった分、電流を多く流す必要があり、この電流を許容できる電流容量を有する外形寸法の大きなリアクターを用いなければならない。
【０００７】
また、日本の規格上、電気機器が発生する高調波電流を規制するもので、６００Ｗ以下の機器に該当する家庭用冷蔵庫はクラスＤを満足する必要があり、その限度値計算は６００Ｗまで電力に比例して限度値が大きくなる。たとえば、３次高調波の限度値は３．４ｍＡ／Ｗなので、電力が倍に大きくなれば限度値は２倍になる計算である。このことから、電流が大きいときは規格値を満足しやすいが、電流値が小さい時ほど、これを満足することが困難になるという問題点があった。
【０００８】
本発明は上記従来の課題を解決するものであり、低電流時に合わせてインダクタンスを増やすとリアクターの巻き数が多くなり、電流が大の時の温度上昇が問題となるので、これを低減し、リアクタの小型化を可能とした冷蔵庫を提供するものである。
【課題を解決するための手段】
【０００９】
上記従来の課題を解決するために、本発明の冷蔵庫は、外箱と内箱と前記外箱と前記内箱との間に設けた断熱材とよりなる断熱箱体と、前記断熱箱体内部を冷却する冷却サイクルを構成するインバータ圧縮機と、前記圧縮機の高調波抑制用のリアクターと、前記圧縮機を冷却するファンと、前記圧縮機及び前記ファンを収容する機械室とを備えて、前記機械室に前記リアクターを収納する収納部を配置し、前記リアクターは電流値により機能す
る巻線を有し、前記電流値により前記冷蔵庫を制御する制御部が、あらかじめ設定された前記リアクターの一部の巻線部分を短絡／開放可能として前記リアクターの巻線を可変可能にしたことを特徴とする冷蔵庫。
【００１０】
この構成によると、送風機の発生させる気流がインバータ圧縮機などの冷却システム構成部材に効率よく当てることで、冷却システムの圧縮機とリアクターを冷却し、さらにリアクターの巻線を可変できるので、電流値が大の時のリアクター温度上昇を低減できる。
【発明の効果】
【００１１】
本発明の冷蔵庫は、規格値を満足しにくい低電流時には大きなインダクタンス値で高調波を抑制し、温度上昇の激しい大電流時には電流の流れる巻き数を減らすことにより、従来に比べ巻き線の線径を細く設定でき、リアクタの小型化と低コスト化が可能となる。
【図面の簡単な説明】
【００１２】
【図１】本発明の実施の形態１における冷蔵庫機械室の背面図
【図２】本発明の実施の形態１における機械室リアクター収納前の要部斜視図
【図３】本発明の実施の形態１におけるリアクターの回路図
【図４】従来の機械室の背面図
【発明を実施するための形態】
【００１３】
請求項１に記載の発明は、外箱と内箱と前記外箱と前記内箱との間に設けた断熱材とよりなる断熱箱体と、前記断熱箱体内部を冷却する冷却サイクルを構成するインバータ圧縮機と、前記圧縮機の高調波抑制用のリアクターと、前記圧縮機を冷却するファンと、前記圧縮機及び前記ファンを収容する機械室とを備えて、前記機械室に前記リアクターを収納する収納部を配置し、前記リアクターは電流値により機能する巻線を有し、前記電流値により前記冷蔵庫を制御する制御部が、あらかじめ設定された前記リアクターの一部の巻線部分を短絡／開放可能として前記リアクターの巻線を可変可能にしたことを特徴とする冷蔵庫としたことにより、圧縮機や凝縮器の放熱性能を確保し、かつリアクターの温度上昇を低減することができる。
【００１４】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１５】
（実施の形態１）
本発明の実施の形態について、図面を参照しながら説明する。
【００１６】
図１は本発明の実施の形態１における冷蔵庫機械室の背面図である。図２は機械室リアクター収納部前の要部前斜視図である。
【００１７】
図１において、冷蔵庫１０１は断熱箱体１０２で構成され、上部に機械室１０３を配置する。
【００１８】
機械室１０３は床面と奥壁，側壁を構成する樹脂製の外郭１０４で構成され、前記外郭１０４上に左側からファン１０５とインバータ圧縮機１０６を配置し、図２に示すように後方奥壁の左側にリアクター１０７を収納する収納部１０８とカバー部材１０９で構成される。
【００１９】
このように、冷蔵庫１０１の上部後方の角部に嵌め込まれた形で、樹脂で外郭１０４を一体成形された機械室１０３を構成する例であれば、一体成形の樹脂面の一角を凹状に形
成することで、容易にかつ経済的にリアクター１０７を収容する空間を確保できる。
【００２０】
以上のような構成とすることによって、機械室１０３内の圧縮機１０６の放熱を促進するファン１０５の風路をリアクター１０７にて阻害することない構成とすることで、圧縮機１０６や凝縮器の放熱性能を確保し効率よい冷却を確保することができる。
【００２１】
また、カバー部材１０９にはリアクター１０７を固定する固定手段１１０を有し、カバー部材１０９で塞ぐ収納部１０８には開口部１１１を備える。
【００２２】
また、ファン１０５の風上側すなわち吸込み側にリアクター１０７の収納部１０８を設け、カバー部材１０９にはリアクター１０７の熱を排熱する排熱孔１１３を備えることで、収納部１０８内にあってもリアクター１０７の放熱を促進し、温度上昇を抑制することによりリアクター１０７内のコイルの損失を防止することができ、コイルサイズの大きいコスト高のリアクターを採用しなくてもいいメリットがある。
【００２３】
図３は制御部と接続されたリアクター１０７の回路図である。
【００２４】
リアクタ１０７の巻き線の途中からタップを出し、リレー１０８でリアクタ巻き線の一部を短絡できるように構成する。リアクター１０７に流れる電流を電流検出手段１０９で検出し、マイコン１１０へ取り込み、その電流が所定値より大きい場合にはリレー駆動手段１１１によりリレー１０８をＯＮしリアクタ１０７の巻き線の一部を短絡し電流の流れる部分の巻き数を減らす。これによりリアクタ１０７の温度上昇が抑制される。また、電流が少ないときにはリレー１０８を開放しリアクタ１０７の全巻き線に電流が流れるようにすることにより、大きなインダクタンスで高調波を抑制できる。このように、規格値を満足しにくい低電流時には大きなインダクタンス値で高調波を抑制し、温度上昇の激しい大電流時には電流の流れる巻き数を減らすことにより、従来に比べ巻き線の線径を細く設定でき、リアクタの小型化と低コスト化が可能となる。
【００２５】
なお、本実施の形態では、リアクター１０７の収納部１０８をファン１０５の吸込み側に設けたが、吐出側に収納部１０８を設置してもかまわない。ファン１０５を作動することによる気圧の圧力差で空気を循環し収納部１０８内の放熱をすることができる。
【００２６】
また、本実施の形態によれば、収納部の周縁壁は断面２重構造で構成され、カバー部材のフランジ部が前記周縁壁に入り込んで固定する方法を一つの実施例として挙げたが、収納部の上方外周にフランジ状のヒサシを作ることで上方からの水掛りによる水侵入に効果を発揮することが可能である。
【産業上の利用可能性】
【００２７】
以上のように、本発明にリアクターを有する冷蔵庫において、圧縮機や凝縮器の放熱性能を確保し、リアクターの温度低減の効率よい冷蔵庫を提供するため、一般家庭用のみならず業務用の冷凍装置や冷蔵庫などへの応用展開が可能である。
【符号の説明】
【００２８】
１０１  冷蔵庫
１０２  断熱箱体
１０３  機械室
１０４  外郭
１０５  ファン
１０６  インバータ圧縮機
１０７  リアクター
【図１】
2012163276.tif 000003
【図２】
2012163276.tif 000004
【図３】
2012163276.tif 000005
【図４】
2012163276.tif 000006